(57)【特許請求の範囲】
【請求項１】
少なくとも２枚の基材を備え、基材間の一部領域に剥離層を介在させて両基材を接着剤で貼り合わせてなる部分的に剥離可能な部分を有する貼り合わせシートにおいて、前記剥離可能な部分の剥離する際の終端側となる最外側の少なくとも一部に狭幅の剥離層のない部分を設け、その剥離層のない部分で接着剤が基材面に直接接するようにしたことを特徴とする貼り合わせシート。
【請求項２】
前記狭幅の剥離層のない部分の幅は２mm以下であることを特徴とする請求項１に記載の貼り合わせシート。
【請求項３】
前記接着剤が、熱可塑性樹脂、熱硬化性樹脂、又はＵＶ硬化性樹脂を含み、水を主たる溶媒分とするエマルジョン、ディスパージョン及び水溶液からなることを特徴とする請求項１又は２に記載の貼り合わせシート。
【請求項４】
前記剥離層が、シリコーン、ポリビニルアルコールラッカー、アクリル樹脂の何れかを剥離成分として含むＵＶ硬化型、熱硬化型、又は酸化重合型のインキ又は塗料組成物を用いてなるものであることを特徴とする請求項１乃至３の何れか一項に記載の貼り合わせシート。
【発明の詳細な説明】
【０００１】
【発明の属する技術分野】
本発明は貼り合わせシートに関し、特に１パート配送伝票として利用される貼り合わせシートに関する。
【０００２】
【従来の技術】
１パート配送伝票とは、複数枚の紙葉が重ねられ又は綴じられた多パーツ配送伝票を平面的に展開し、データをディジタル複写して１パート化したもので昨今のＥＤＩ(electronic data interchange＝電子データ交換。コンピュータ・ネットワークを介して電子的に、受発注、輸送、決済などのビジネス文書をやりとりすること。）化の伸展に伴って、年々その使用量が増加している。
【０００３】
通常、１パート配送伝票は以下に述べるような流れで使用される。
(1) ディジタルデータに基づいて１パート配送伝票に印字する。
(2) 印字された１パート配送伝票を荷物に添付する。
(3) 受付〜配送のルートに入る。
(4) 配送車に荷物を積み込む前に、１パート配送伝票から「配達票」を剥がす。
(5) 剥がした「配達票」をもとに配送ルートを定め、或いは指示された配送ルートに応じて「配達票」を束ねて、ドライバーが手で捲りながら、荷物を届けていく。
(6) 荷物を届けた段階で、「配達票」にお届け印を押してもらい、ドライバーは捺印してもらった配達票を持ち帰る。
(7) 持ち帰られた「配達票」をもとに一般的には電算処理により配達完了処理をし、「配達票」そのものは配達した証明書として保管される。
このように、配送伝票は荷物に添付されることでいわば荷物の「ＩＤ」として利用されている。
【０００４】
上記のように配送車に荷物を積み込む前に、配送伝票から「配達票」は剥がされるがその前の段階においては「配達票」は容易に剥落してはならない。そのため、これまでは、一般的に、「配達票」の接着力を高めに設定して、剥がしにくい設計にされている。配送伝票から「配達票」が剥落してしまうことにより荷物が迷子になってしまう可能性があるからである。
【０００５】
図８は従来の配送伝票の一例の平面図を示す。配送伝票１は１枚目の紙葉（第１の紙葉）とその下側に貼り合わせられた２枚目の紙葉（第２の紙葉）とからなる貼り合わせシートからなる。配送伝票の一部領域には配達票２が設けられており、この配達票２の領域には１枚目の紙葉の下側に剥離層が設けられ２枚目の紙葉から剥離可能に構成され、且つ配達票２の一部の辺に沿うようにハーフカット又はミシン目３が刻設され、配達票２を剥がして配送伝票から分離できるように構成されている。
【０００６】
図９及び図１０は、図８に示した従来の配送伝票のうち配達票の部分のみを示す。図９は配送伝票を構成する貼り合わせシートの第２の紙葉を示し、図９（ａ）は断面図、図９（ｂ）は図９（ａ）に示す紙葉の矢印Ｂの方向から見た平面図である。また図１０は配送伝票の配送伝票を構成する貼り合わせシートの第１の紙葉を示し、図１０（ａ）は断面図であり、図１０（ｂ）は図１０（ａ）に示す紙葉の矢印Ｃの方向から見た平面図である。
【０００７】
第２の紙葉は、図９に示すように、上質紙からなるタック紙の基材４と該基材４に粘着剤層５を介して積層された剥離紙６を含み、基材４の上面には感圧接着剤層７が設けられている。また感圧接着剤層７上の一部領域には接着抑制剤層８が設けられている。一方、第１の紙葉は基材９を含み配達票に対応する基材９の下面領域には剥離インキによる剥離層１０が設けられている。剥離層１０には最外側でなく、やや内側に白抜き部１１が設けられており、白抜き部１１においてはタック紙の基材４の上面に設けた感圧接着剤層７が基材９面に直接接しその他の部分よりも高い接着力で接着されている。ここにおいて白抜き部１１を内側に設けたのは最外側に設けると、ハーフカット刃やミシン刃の毛羽を拾って開封時に破断が生じやすくなるからである。つまり、従来の配送伝票においては強接着部を設けるにあたって開封時に破断がおこらないように工夫が凝らされている。
【０００８】
しかしながら１パート配送伝票の使用が増加してくるに伴い「配達票」の接着力の高いものは敬遠されるようになってきた。なぜならば、接着力が強いと剥がした「配達票」はくるくると丸まってしまい、一日に数百個の荷物を分刻みで配達する過程で扱いにくいからである。くるくると丸まってしまうと、「配達票」の束の中に折れ込んでしまうものがあるために、配達数量とのマッチングに支障をきたしたり、或いは「配達票」の束そのものが取り扱い困難な形状になってしまったり、そのため１点ずつ「配達票」を逆に丸めて伸ばす作業をしなければならないといった不具合が生じる。
【０００９】
【発明が解決しようとする課題】
本発明の目的は、容易に剥がれたりせず、且つ剥離した紙葉がくるくる丸まらずに第１の紙葉を剥がすことができる貼り合わせシートを提供することである。
【００１０】
【課題を解決するための手段】
請求項１に記載の発明は上記の課題を解決するもので、少なくとも２枚の基材を備え、基材間の一部領域に剥離層を介在させて両基材を接着剤で貼り合わせてなる部分的に剥離可能な部分を有する貼り合わせシートにおいて、前記剥離可能な部分の剥離する際の終端側となる最外側の少なくとも一部に狭幅の剥離層のない部分を設け、その剥離層のない部分で接着剤が基材面に直接接するようにしたことを特徴とする。
【００１１】
本発明において、前記狭幅の剥離層のない部分の幅は２mm以下である。
【００１２】
本発明において、接着剤として、熱可塑性樹脂、熱硬化性樹脂、又はＵＶ硬化性樹脂を含み、水を主たる溶媒分とするエマルジョン、ディスパージョン及び水溶液を適用することができる。
【００１３】
本発明において、剥離層として、シリコーン、ポリビニルアルコールラッカー、アクリル樹脂の何れかを剥離成分として含むＵＶ硬化型、熱硬化型、又は酸化重合型のインキ又は塗料組成物を適用することができる。
【００１４】
本発明に係る貼り合わせシートにおいては、剥離する際の終端側となる最外側の少なくとも一部に２mm以下の幅の剥離層のない部分が設けられた構成を有するので、大半の部分は設計通りの接着力で剥離できるように構成されているために、カールを抑制し得る接着力としながら、約１／２程度の周縁部を強接着するため、輸送中の脱落を防止することができるという格別の効果が奏せられる。
【００１５】
【発明の実施の形態】
図１及び図２は本発明の貼り合わせシートの第１の実施態様を示し、図１は第１の実施態様を構成する第２の紙葉の断面図を示し、図２は第１の実施態様を構成する第１の紙葉を示し、図２（ａ）は断面図、図２（ｂ）は図２（ａ）に示す第１の紙葉の矢印Ａの方向から見た平面図である。
【００１６】
第１の実施態様においては、第２の紙葉は、図１に示すように、上質紙からなるタック紙の基材４と該基材４に粘着剤層５を介して積層された剥離紙６を含み、基材４の上面には接着剤層１３が設けられている。一方、第１の紙葉は、図２に示すように、基材９を含み、配達票に対応する基材９の下面領域には剥離インキによる剥離層１０が設けられている。また剥離層１０には剥離する際の終端側となる最外側の少なくとも一部に２mm以下、好ましくは１mm以下の狭幅の剥離インキのない部分、白抜き部１２が設けられており、第２の紙葉に第１の紙葉を重ね合わせて貼り合わせシートを構成するとき、図３に示すように、白抜き部１２においては接着剤層１３の接着剤が基材９面に直接接しその他の部分よりも高い接着力で接着される。
【００１７】
本発明の貼り合わせシートにおいて、接着剤として、熱可塑性樹脂、熱硬化性樹脂、又はＵＶ硬化性樹脂を含む、水を主たる溶媒分とするエマルジョン、ディスパージョン及び水溶液を適用することができる。
【００１８】
また、剥離層として、シリコーン、ポリビニルアルコールラッカー、アクリル樹脂等を剥離成分として含むＵＶ硬化型、熱硬化型、又は酸化重合型のインキ又は塗料組成物を用いてなるものを適用することができる。
【００１９】
本発明において白抜き部１２の幅を２mm以下、好ましくは１mm以下としたのは２mm以下で十分に剥離防止の効果が奏せられるだけでなく、幅を２mm以上に広くすることにより配達票の剥離時に破断が生じることを避けることができるからである。
【００２０】
白抜き部１２は図２（ｂ）に示すように連続して設けるのではなく図４に示すように断続的に設けてもよい。
【００２１】
本発明において第２の紙葉に粘着剤層を設けることに代えてコールドシール型接着剤、ヒートシール接着剤、または再湿型接着剤の層を設けてもよい。
【００２２】
この第１の実施態様においては、基材９の面に剥離する際の終端側となる最外側の少なくとも一部に２mm以下の狭幅の剥離インキのない部分、白抜き部分１２を残して剥離層１０が設けられていることにより、剥離時に破断を生ぜしめることなく貼り合わせシートを構成する両基材４、９の間で剥離することができるのみならず、大半の部分は設計通りの接着力で剥離できるように構成されているために、カールを抑制し得る接着力としながら、約１／２程度の周縁部を強接着するため、輸送中の脱落を防止することができるという格別の効果が奏せられる。
【００２３】
次に本発明に係る貼り合わせシートの第２の実施態様を示す。
図５及び図６は本発明に係る貼り合わせシートの第２の実施態様を示し、図５は第２の実施態様を構成する第２の紙葉を示し、図６は第２の実施態様を構成する第１の紙葉を示す。
【００２４】
第２の紙葉は、図５に示すように、タック紙の基材４と該基材４に粘着剤層５を介して積層された剥離紙６を含み、基材４の上面には部分的に設けた剥離層１０を介して接着剤層１３が設けられている。ここにおいて剥離層１０は剥離する際の終端側となる最外側の少なくとも一部に２mm以下、好ましくは１mm以下の狭幅の剥離層のない部分を残して形成されている。一方、第１の紙葉は、図６に示すように、基材９のみからなる。第２の紙葉に第１の紙葉を重ね合わせて貼り合わせシートを構成するとき、図７に示すように接着剤層１３は基材９に全面にわたって接着される。
【００２５】
この第２の実施態様においては、基材９上に剥離する際の終端側となる最外側の少なくとも一部に２mm以下の狭幅の剥離インキのない部分を残して剥離層１０が設けられていることにより、剥離時に破断を生ぜしめることなく貼り合わせシートを構成する両基材４、９の間で剥離することができるのみならず、大半の部分は設計通りの接着力で剥離できるように構成されているために、カールを抑制し得る接着力としながら、約１／２程度の周縁部を強接着するため、輸送中の脱落を防止することができるという格別の効果が奏せられる。
【００２６】
【発明の効果】
以上詳細に説明したように、本発明の貼り合わせシートは、少なくとも２枚の基材を備え、基材間の一部領域に剥離層を介在させて両基材を接着剤で貼り合わせてなる部分的に剥離可能な部分を有する貼り合わせシートにおいて、前記剥離可能な部分の剥離する際の終端側となる最外側の少なくとも一部に狭幅の剥離層のない部分を設け、その剥離層のない部分で接着剤が基材面に直接接するようにしたことを特徴としているので、大半の部分は設計通りの接着力で剥離できるように構成されているために、カールを抑制し得る接着力としながら、約１／２程度の周縁部を強接着するため、輸送中の脱落を防止することができるという格別の効果が奏せられる。
【図面の簡単な説明】
【図１】  本発明の貼り合わせシートの第１の実施態様を構成する第２の紙葉の断面図を示す。
【図２】  本発明の貼り合わせシートの第１の実施態様を構成する第１の紙葉を示し、（ａ）は断面図、（ｂ）は図２（ａ）の矢印Ａの方向から見た平面図である。
【図３】  図１に示す第２の紙葉と図２に示す第１の紙葉とからなる貼り合わせシートの断面図である。
【図４】  図２（ｂ）に示す白抜き部の変形態様を示す平面図である。
【図５】  本発明の貼り合わせシートの第２の実施態様を構成する第２の紙葉の断面図を示す。
【図６】  本発明の貼り合わせシートの第２の実施態様を構成する第１の紙葉を示し、（ａ）は断面図、（ｂ）は図２（ａ）の矢印Ａの方向から見た平面図である。
【図７】  図１に示す第２の紙葉と図２に示す第１の紙葉とからなる貼り合わせシートの断面図である。
【図８】  配送伝票の一例の平面図である。
【図９】  従来の配送伝票の第２の紙葉を示し、（ａ）は断面図、（ｂ）は図９（ａ）の矢印Ｂの方向から見た平面図である。
【図１０】  従来の配送伝票の第１の紙葉を示し、（ａ）は断面図、（ｂ）は図１０（ａ）の矢印Ｃの方向から見た平面図である。
【符号の説明】
４  基材
５  粘着剤層
６  剥離紙
７  感圧接着剤層
９  基材
１０  剥離層
１１  白抜き部
１２  白抜き部
１３  接着剤層
【図１】
0004877442.tif 000002
【図２】
0004877442.tif 000003
【図３】
0004877442.tif 000004
【図４】
0004877442.tif 000005
【図５】
0004877442.tif 000006
【図６】
0004877442.tif 000007
【図７】
0004877442.tif 000008
【図８】
0004877442.tif 000009
【図９】
0004877442.tif 000010
【図１０】
0004877442.tif 000011